(57)【要約】【課題】  使い易さに優れた省力型ステープラーを提供する。【解決手段】  ステープラーは、取付フレームと、取付フレームに設置される弾性プレートとを有する本体と、本体に枢設され、底部が前記弾性プレートと接触し、針収納溝が形成されているマガジンを備えており、後端が取付フレームに枢設されるマガジンユニットと、本体に枢設される押圧部とカバーを有しており、該押圧部の後端が取付フレームに枢設され、該カバーが針収納溝に覆われると共に、後端が取付フレームに枢設されるケース組立部品と、ケース組立部品と本体に枢設される省力プレートと連結部材を有しており、省力プレートの後端が取付フレームに枢設され、連結部材の前端が押圧部に枢設されると共に、後端が省力プレートに枢設される省力部品と備えている。【選択図】  図３
0003123119.tif 000002
【実用新案登録請求の範囲】
【請求項１】
取付フレームと、該取付フレームに設置される弾性プレートとを有する本体と、
該本体に枢設され、底部が前記弾性プレートと接触すると共に、針収納溝が形成されるマガジンを有し、後端が前記取付フレームに枢設されるマガジンユニットと、
前記本体に枢設される押圧部とカバーを有し、該押圧部の後端が前記取付フレームに枢設され、該カバーが針収納溝に覆われると共に、後端が取付フレームに枢設されるケース組立部品と、
前記ケース組立部品と本体に枢設される省力プレートと連結部材を有し、該省力プレートの後端が取付フレームに枢設され、該連結部材の前端が押圧部に枢設されると共に、後端が省力プレートに枢設される省力部品と、を備えることを特徴とする省力型ステープラー。
【請求項２】
前記取付フレームの両側に位置決めプレートが設けられ、前記マガジン、押圧部及びカバーの後端が位置決めプレートの間に枢設され、
前記省力プレート後端の両側に本体の位置決めプレートと対応する取付プレートが設けられ、前記連結部材の後端が該省力プレートの取付プレートの間に枢設されることを特徴とする請求項1に記載の省力型ステープラー。
【請求項３】
更に、省力プレートが包覆されるキャップと、本体に包覆されるベースと、を備え、
前記取付フレームの前端に曲げ台が設けられ、前記押圧部の前端にガイド孔を有する針押しプレートが設けられ、前記カバーの前端に針押しプレートのガイド孔を貫通する突出プレートが設けられ、
前記マガジンユニットの針収納溝にガイド部材が設けられることを特徴とする請求項2に記載の省力型ステープラー。
【考案の詳細な説明】
【技術分野】
【０００１】
本考案は、特に使い易さに優れた省力型ステープラーに関するものである。
【背景技術】
【０００２】
ステープラーは、紙や資料を装丁する時によく使用され、使用時は、ステープラーのキャップを押圧して、マガジンにおける針を押出し、紙や資料に貫通させることにより、紙や資料をまとめて装丁することができる。
【考案の開示】
【考案が解決しようとする課題】
【０００３】
しかしながら、一般に会社でステープラーを使用した作業をするのは、殆どが力の弱い女性社員であるが、女性社員は、長時間にわたりステープラーを用いた作業をし続けると、手や腕を痛める恐れがあり、又、厚い資料を装丁する際には、より強い力で押圧しなければならないので、非常に大変である。
【０００４】
そこで、案出されたのが本考案であって、使い易さに優れた省力型ステープラーを提供することを目的としている。
【課題を解決するための手段】
【０００５】
本願の請求項１の考案は、取付フレームと、該取付フレームに設置される弾性プレートとを有する本体と、該本体に枢設され、底部が前記弾性プレートと接触すると共に、針収納溝が形成されるマガジンを有し、後端が前記取付フレームに枢設されるマガジンユニットと、前記本体に枢設される押圧部とカバーを有し、該押圧部の後端が前記取付フレームに枢設され、該カバーが針収納溝に覆われると共に、後端が取付フレームに枢設されるケース組立部品と、前記ケース組立部品と本体に枢設される省力プレートと連結部材を有し、該省力プレートの後端が取付フレームに枢設され、該連結部材の前端が押圧部に枢設されると共に、後端が省力プレートに枢設される省力部品と、を備えることを特徴とする省力型ステープラーを提供する。
【０００６】
本願の請求項２の考案は、前記取付フレームの両側に位置決めプレートが設けられ、前記マガジン、押圧部及びカバーの後端が位置決めプレートの間に枢設され、前記省力プレート後端の両側に本体の位置決めプレートと対応する取付プレートが設けられ、前記連結部材の後端が該省力プレートの取付プレートの間に枢設されることを特徴とする請求項1に記載の省力型ステープラーを提供する。
【０００７】
本願の請求項３の考案は、更に、省力プレートが包覆されるキャップと、本体に包覆されるベースとを備え、前記取付フレームの前端に曲げ台が設けられ、前記押圧部の前端にガイド孔を有する針押しプレートが設けられ、前記カバーの前端に針押しプレートのガイド孔を貫通する突出プレートが設けられ、前記マガジンユニットの針収納溝にガイド部材が設けられることを特徴とする請求項2に記載の省力型ステープラーを提供する。
【考案の効果】
【０００８】
本考案の省力型ステープラーによれば、従来の半分の力で紙や資料を装丁することができるから、力の弱い女性でも簡単に作業を行うことができるので、非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る省力型ステープラーの斜視図であり、図２は本考案に係る省力型ステープラーの部分分解斜視図であり、図３は本考案に係る省力型ステープラーの分解斜視図であり、図４は本考案に係る省力型ステープラーの断面図であり、図５は図４の各部材の作動関係を力アームで示す断面図であり、図６は図５の力アームを示す参考図である。
【００１１】
図１及び図３に示すように、本考案に係る省力型ステープラーは、本体（１０）と、マガジンユニット（２０）と、ケース組立部品（３０）と、枢軸（７０）（８０）と、省力部品（４０）と、ベース（５０）と、キャップ（６０）とを備える。
【００１２】
図２及び図３に示すように、前記本体（１０）に取付フレーム（１１）が設けられており、該取付フレーム（１１）は底部プレート（１１１）を有している。該底部プレート（１１１）には、後側に突出ブロック（１１１０）が設けられていると共に、両側に夫々位置決めプレート（１１３）が設けられている。該位置決めプレート（１１３）の後側には、枢設孔（１１３１）（１１３３）が形成されている。底部プレート（１１１）の前側には曲げ溝部（１３１）を有する曲げ台（１３）が設けられている。又、図４に示すように、底部プレート（１１１）の突出ブロック（１１１０）の前端には、上部（１５１）を有する弾性プレート（１５）が設けられている。
【００１３】
前記マガジンユニット（２０）は、前記本体（１０）に枢設される。マガジンユニット（２０）は、マガジン（２１）とガイド部材（２２）を有している。前記弾性プレート（１５）の上部（１５１）が、マガジン（２１）の底部に付勢することにより、マガジン（２１）と曲げ台（１３）が分離される。マガジン（２１）の後端が取付フレーム（１１）に枢設される。マガジン（２１）には、針収納溝（２１０）が形成されており、又、マガジン（２１）後端には取付フレーム（１１）の位置決めプレート（１１３）と枢設する取付プレート（２１１）が設けられている。各取付プレート（２１１）には、位置決めプレート（１１３）の枢設孔（１１３３）と対応し合う枢設孔（２１３）が形成されている。前記針収納溝（２１０）の内部にガイド部材（２２）が収納される。
【００１４】
図３及び図４に示すように、前記ケース組立部品（３０）は、本体（１０）に枢設される。ケース組立部品（３０）は、押圧部（３１）とカバー（３２）を有しており、該押圧部（３１）の後端には、取付フレーム（１１）の位置決めプレート（１１３）と枢設するための取付プレート（３１１）が設けられている。該取付プレート（３１１）には、位置決めプレート（１１３）の枢設孔（１１３３）と対応し合う枢設孔（３１３）が形成されている。該押圧部（３１）の中央には、枢設孔を有する枢設部（３１５）が設けられている。又、該押圧部（３１）の前端には、ガイド孔（３０５１）を有する針押しプレート（３０５）が設けられている。該カバー（３２）は、マガジン（２１）の針収納溝（２１０）を覆うことができる。カバー（３２）の後端には、位置決めプレート（１１３）に枢設するために枢設孔（３２３）を有する取付プレート（３２１）が設けられている。又、カバー（３２）の前端には、針押しプレート（３０５）のガイド孔（３０５１）を貫通する突出プレート（３２５）が設けられており、カバー（３２）が押圧部（３１）と一緒に回転することができる。
【００１５】
前記枢軸（７０）は、位置決めプレート（１１３）と、マガジン（２１）の取付プレート（２１１）と、押圧部（３１）の取付プレート（３１１）と、カバー（３２）の取付プレート（３２１）に、各々設けられている枢設孔（１１３３）（２１３）（３１３）（３２３）を貫通することにより、マガジン（２１）、押圧部（３１）及びカバー（３２）を本体（１０）に枢設させる。
【００１６】
前記省力部品（４０）は、ケース組立部品（３０）と本体（１０）に枢設されており、省力プレート（４１）と、連結部材（４２）と、前枢軸（４３）と、後枢軸（４４）とを備えている。該省力プレート（４１）の後端に取付プレート（４１１）が設けられており、省力プレート（４１）は位置決めプレート（１１３）に枢設される。取付プレート（４１１）には、夫々前孔（４１５）と後孔（４１３）が形成されている。該後孔（４１３）は、位置決めプレート（１１３）の枢設孔（１１３１）と対応している。連結部材（４２）には、前端に押圧部（３１）と枢設するための前孔（４２５）を有する前取付プレート（４２１）が設けられており、後端に省力プレート（４１）と枢設するための後孔（４２７）を有する後取付プレート（４２３）が設けられている。該前孔（４２５）は、押圧部（３１）における枢設部（３１５）の枢設孔と対応し合っており、該後孔（４２７）は、省力プレート（４１）の前孔（４１５）と対応し合っている。枢設部（３１５）の枢設孔と連結部材（４２）の前孔（４２５）に前枢軸（４３）が貫通される。又、省力プレート（４１）の前孔（４１５）と連結部材（４２）の後孔（４２７）に後枢軸（４４）が貫通される。又、省力プレート（４１）の後孔（４１３）と位置決めプレート（１１３）の枢設孔（１１３１）に枢軸（８０）が貫通される。
【００１７】
図５及び図６に示すように、前記省力プレート（４１）は、連結部材（４２）を連動することにより押圧部（３１）を駆動させ、該押圧部（３１）が下方へ回転することにより、針押しプレート（３０５）が針収納溝（２１０）における針（符号なし）を押し出す。又、本考案の省力原理を説明するために、力学の計算式によって詳しく説明する。
【００１８】
計算式において、L１は連結部材（４２）の後孔（４２７）から位置決めプレート（１１３）の枢設孔（１１３１）までの距離（力アーム）であり、L２は連結部材（４２）の長さ（力アーム）であり、L3は押圧部（３１）の枢設部（３１５）から位置決めプレート（１１３）の枢設孔（１１３３）までの距離（力アーム）であり、L4はマガジン（２１）の前端底部から枢設孔（２１３）までの距離（力アーム）である。F０は使用者から省力プレート（４１）に押圧する作用力であり、F４は装丁しようとする資料からマガジン（２１）における針に対する作用力であり、即ち針押しプレート（３０５）により針から装丁しようとする資料に施した力の反作用力であり、F２、F３はステープラー内部の作用力であり、θ０〜θ４は各力アームの角度である。
【００１９】
省力率は、以下の計算式で計算する。
【００２０】
F０×sin（θ０）×L0＝F1×L1；F1＝F2×cos(θ1)；
F0×sin(86.243°)×L0＝F2×cos(47.864°)×L1；
151.67F0＝16.77F2；F2＝9.044F0；
L3＝75；L4＝145；θ３＝28.964°；θ４＝84.441°；
F4×sin(θ４)×L4＝F3×L3；F3＝F2×sin(θ３)；
F4×sin(84.441°)×L4＝F2×sin(28.964°)×L３；
144.32F4＝35.848F2；F2＝4.026F4；
4.026F4＝9.044F0；F4＝2.246F0；
そして省力率＝（2.246-1）/（2.246）＝55.47％
【産業上の利用可能性】
【００２１】
本考案は上記の構成を有し、上記の計算式から分かるように、本考案の省力型ステープラーによれば、従来の半分の力で紙や資料を装丁することができるから、力の弱い女性でも簡単に作業を行うことができるので、非常に便利である。
【図面の簡単な説明】
【００２２】
【図１】本考案に係る省力型ステープラーの斜視図である。
【図２】本考案に係る省力型ステープラーの部分分解斜視図である。
【図３】本考案に係る省力型ステープラーの分解斜視図である。
【図４】本考案に係る省力型ステープラーの断面図である。
【図５】図４の各部材の作動関係を力アームで示す断面図である。
【図６】図５の力アームを示す参考図である。
【符号の説明】
【００２３】
１０        本体                 
１１        取付フレーム
１１１      底部プレート         
１１１０    突出ブロック
１１３      位置決めプレート     
１１３１    枢設孔
１１３３    枢設孔
１３        曲げ台               
１３１      曲げ溝部
１５        弾性プレート         
１５１      上部
２０        マガジンユニット
２１        マガジン
２１０      針収納溝             
２１１      取付プレート
２１３      枢設孔               
２２        ガイド部材
３０        ケース組立部品       
３０５      針押しプレート
３０５１    ガイド孔             
３１        押圧部
３１１      取付プレート
３１３      枢設孔               
３１５      枢設部
３２        カバー               
３２１      取付プレート
３２３      枢設孔               
３２５      突出プレート
４０        省力部品             
４１        省力プレート
４１１      取付プレート         
４１３      後孔
４１５      前孔
４２        連結部材
４２１      前取付プレート       
４２３      後取付プレート
４２５      前孔                 
４２７      後孔
４３        前枢軸               
４４        後枢軸
５０        ベース               
６０        キャップ
７０        枢軸                 
８０        枢軸
L１〜L４    力アーム
F０〜F４    作用力               
θ０〜θ４  角度
【図１】
0003123119.tif 000003
【図２】
0003123119.tif 000004
【図３】
0003123119.tif 000005
【図４】
0003123119.tif 000006
【図５】
0003123119.tif 000007
【図６】
0003123119.tif 000008